(57)【要約】【課題】高い消波性能を有し且つ施工が簡単な新型の重量式離岸堤を提供する。【解決手段】斜板１を函体８の上面に取り付けて固定する。函体８の内部に、異形ブロック１４を多数入れて重量を付与させるようにする。函体８の前側板９と後側板１０に、水平スリット１５を内外方向に貫通させて設ける。沖合の海上に運搬した後、吊り降ろすと、自重で下降して海底４上に据え付けられる。表面波１８ａは斜板１により消波され、海中進行波１９は前側板９のスリット１５を通過することにより消波され、更に、異形ブロック１４により消波される。【選択図】　　　　図１
2004143789.tif 000002
【特許請求の範囲】
【請求項１】
前側板と後側板にスリットを形成して製作した上面のみ開放の函体内に多数の重量物を互に隙間ができるように入れ、且つ上記函体の上面に、前端側が低くなるように傾斜させて斜板を取り付けて一体にしてなる構成を有することを特徴とする重量式離岸堤。
【請求項２】
斜板を、左右方向に所要の長さ及び前後方向に所要の幅を有する構成とし、函体の左右方向の長さを上記斜板の左右方向の長さに対応させ、且つ函体の前後方向の厚みを厚くした請求項１記載の重量式離岸堤。
【請求項３】
函体底面の複数個所に杭を下向きに取り付けた請求項１又は２記載の重量式離岸堤。
【発明の詳細な説明】
【０００１】
【発明の属する技術分野】
本発明は沖合いの海底に設置して上端部を海面付近に位置させるようにして用いる離岸堤で、特に、自重で沈下させて設置させるようにする重量式離岸堤に関するものである。
【０００２】
【従来の技術】
外洋に面する海域においては、たとえば、沖合い１００ｍ〜２００ｍ位のところに離岸堤を設置して、波浪を砕波させ、その波エネルギーを低減させて陸側を静穏域とすることの研究が進められ、種々の新型の離岸堤が開発され、実海域に据え付けられて実施されているものもある。
【０００３】
その多くは、シンプルで強固な構造のため信頼性の高い有脚式離岸堤（斜板堤）である。
【０００４】
上記有脚式離岸堤は、海面付近に設置する斜板を杭により海底地盤に固定して、斜板上での砕波による波エネルギーの逸散により消波させるもので、その一例を示すと、図３に概略を示すように、左右方向に所要の長さ及び前後方向に所要の幅を有し且つ前端側が低くなるよう前後方向に所要角度傾斜した厚板形状の鉄筋コンクリート製の斜板１の下面の複数個所に、下端が海底に達する長さとしてある管状のジャケット２の各上端を一体的に取り付けて固定し、傾斜した前端側を沖側６に向けた上記斜板１を沖側６から打ち寄せる波５ａの方向と直交するように配置して、海面付近に位置させ、沖合いの海底４に打ち込んだ鋼管製の杭３に上記ジャケット２を嵌合させるようにするか、あるいは、上記各ジャケット２に挿通させた鋼管製の杭３を海底４に打ち込むようにすることにより、上記斜板１を杭３により固定支持させるようにした構成とし、斜板１上に達した波５ａを砕波させて波エネルギーを逸散させることにより消波すると共に、斜板１上からの反射波５ｂによって波５ａの透過性を低減させることにより消波させて、陸側７を静穏域とすることができるようにしたものがある（たとえば、特許文献１参照）。
【０００５】
【特許文献１】
特開２００２−１３８４３７号公報
【０００６】
【発明が解決しようとする課題】
ところが、上記特許文献１に記載されている如き有脚式離岸堤の場合は、上記のように高い消波性能を有し、更に、鋼管製の杭３やジャケット２の長さを変えることにより浅水深から大水深まで対応できると共に、固定部の構造強度が安定しており、又、メンテナンスも容易である、等の多くの利点を有していて有効なものであるが、海上での杭打ち工事が不可欠で、天候に左右され易く施工にやや困難性を有することが考えられる。
【０００７】
なお、施工が簡単な離岸堤として、上記有脚式離岸堤以外の代表的なものとしては、テトラポット方式のものがある。
【０００８】
この方式は、多数のテトラポットを並べながら積み重ねて離岸堤とするもので、テトラポットで消波させることから、消波性能が優れていると共に、施工が簡単であることから、最も多くの実績を有するが、比較的浅水深に有効で、中水深から大水深には対応できないと共に、頻繁にメンテナンスが必要であり、更に、台風等の波浪に弱く、積み上げられたブロックの移動や崩壊の問題がある。
【０００９】
そこで、本発明は、上記有脚式離岸堤の利点を活かし且つ施工が簡単にでき、更に、消波性能の高い新型の重量式離岸堤を提供しようとするものである。
【００１０】
【課題を解決するための手段】
本発明は、上記課題を解決するために、前側板と後側板にスリットを形成して製作した上面のみ開放の函体内に多数の重量物を互に隙間ができるように入れ、且つ上記函体の上面に、前端側が低くなるように傾斜させて斜板を取り付けて一体にしてなる構成とし、又、斜板を、左右方向に所要の長さ及び前後方向に所要の幅を有する構成とし、函体の左右方向の長さを上記斜板の左右方向の長さに対応させ、且つ函体の前後方向の厚みを厚くした構成とする。
【００１１】
斜板と、函体に設けたスリットと、函体内の重量物とにより、それぞれ消波作用が得られて消波性能を高められ、又、重量式であるため、施工が簡単にでき、更に、工場で製作して海底に設置するだけであるため、製作が天候に左右されることなく行われて製作から施工までの工期を短縮できる。
【００１２】
又、函体底面に杭を取り付けることにより、据付け後もより安定できる。
【００１３】
【発明の実施の形態】
以下、本発明の実施の形態を図面を参照して説明する。
【００１４】
図１は本発明の実施の一形態を示すもので、左右方向に所要長さ及び前後方向に所要の幅を有する鉄筋コンクリート製又は鋼製あるいは鉄骨鉄筋コンクリート製とした斜板１と、該斜板１を上端面に取り付けて一体化させるようにした同じく鉄筋コンクリート製又は鋼製あるいは鉄骨鉄筋コンクリート製とした函体８とを製作し、該函体８内に重量物としての異形ブロック１４を収納してから、函体８の上端面に斜板１を固定して、斜板１を有する重量式の新しい型式の離岸堤Ｉとするようにする。
【００１５】
上記函体８は、左右方向の長さを上記斜板１の左右方向の長さに合わせ且つ高さを設置すべき沖合いの海域の水深に合わせて海面よりやや低くなるような高さ寸法としてある前側板９と、該前側板９の左右方向長さと同じ長さを有し且つ前側板９よりも高い寸法としてある後側板１０と、上端面を前側へ下り勾配となるようにして上記前側板９と後側板１０の高さに合わせてある左右の側板１１，１２と、底板１３とからなる上面開放型の構成としてあり、上記前側板９と後側板１０には、それぞれ内外方向（厚み方向）に貫通する所要大きさの水平スリット１５を、たとえば、開口率が１０％位となるように均一に並べて形成して、該各水平スリット１５を波が通過することにより消波され、函体８の内部空洞部を波が通過するときに異形ブロック１４に衝突して消波されるようにする。
【００１６】
本発明の重量式離岸堤Ｉは、陸上で製作した後、沖合いの据付け場所へ海上輸送で搬送し、据付け場所で海底まで吊り下ろすようにする。
【００１７】
そのために、先ず、陸上の工場で斜板１と函体８を製作した後、函体８内に、コンクリート製等の異形ブロック１４を、各ブロック１４間に所要の隙間が形成されるように収納して閉じ込めるようにすることにより、該異形ブロック１４による重量の付与と消波機能を持たせるようにし、しかる後に、函体８の各側板９，１０，１１，１２の上端面に斜板１の下面を全周にわたり一体的に連結して固定し、函体８と斜板１とで形成される空洞内に異形ブロック１４を閉じ込めてなる新型の斜板付重量式離岸堤Ｉとし、かかる重量式離岸堤Ｉを多数用意しておくようにする。
【００１８】
次に、上記陸上の工場で製造した本発明の重量式離岸堤Ｉを、沖合いの据付け場所まで運搬船を用いて海上輸送し、沖合いの据付け場所にて荷役装置を用いて運搬船より吊り降ろし、海水中に水没させるようにする。この際、据付け場所の海底４の地盤が平坦でなく、凹凸がある場合には、予め浚渫作業により均らしておくようにする。又、本発明の重量式離岸堤Ｉを吊るために、予め吊るための吊ピース１６を図１に二点鎖線の如く取り付けておけば、該吊ピース１６を利用して吊り下げることができる。
【００１９】
本発明の重量式離岸堤Ｉを沖合いの据付け場所に据え付けるときは、図１に示す如く、斜板１の前端側（下端側）が沖側６に向くような姿勢で水中を自重で下降させるようにし、函体８の底板１３が海底４の地盤上に着座させるようにする。このようにして据え付けられると、斜板１の後端側（上端側）が海水面１７よりも上方へ位置しているようにして、順次、沖合いから来る波に直交する方向へ並べて行くようにする。
【００２０】
本発明の重量式離岸堤Ｉを据え付ける場所の水深としては、浅水深から中水深（たとえば、７ｍ〜１０ｍ位）までは可能であり、函体８の前後方向の厚さ寸法が１０ｍ以上としてあれば、大波浪に対しても転倒するおそれはなく、安定した姿勢に保持される。
【００２１】
上記のようにして沖合いに据え付けられると、沖側６から打ち寄せる波のうち、斜板１の上方の表面波１８ａは斜板１により砕波されて波エネルギーを逸散させることにより消波されると共に、斜板１上からの反射波１８ｂによって上記表面波１８ａの透過性を低減させることにより消波させることができる。又、函体８の前面部に向って来た海中進行波１９は、前側板９に形成した水平スリット１５を通って函体８内に入った後、多数の異形ブロック１４に衝突しながら各異形ブロック１４間の隙間を通って後側板１０の水平スリット１５を抜けるが、この間に海中進行波１９は異形ブロック１４により消波され、又、前側板９に形成した水平スリット１５を通過することによっても消波されることになる。
【００２２】
因に、本発明の重量式離岸堤Ｉの有する斜板１がなく、函体８の上面が平坦面となっている重量式離岸堤とした場合には、上記表面波１８ａは該離岸堤を越波して消波させることができないばかりでなく、強い波が打ち寄せて来ると、波の飛沫が生じ、これが離岸堤の上面に当って錆びを発生させる問題があるが、斜板１を有する本発明の重量式離岸堤Ｉでは、このような問題はない。
【００２３】
次に、図２は本発明の実施の他の形態を示すもので、図１に示した実施の形態と同様な構成において、函体８の底板１３の下面複数個所に、下端を尖らせた短尺の杭２０を下向きに取り付けたものであり、その他の構成は図１に示すものと同じであり、同一のものには同一符号が付してある。
【００２４】
この実施の形態によれば、沖合いの据付け場所に本発明の重量式離岸堤Ｉを下降させて設置するとき、海底４の地盤が粘土層であれば、底板１３を海底４に着座させる際に自重で下降する本発明の重量式離岸堤Ｉ自体の動きにより杭２０が地盤に差し込まれ、該杭２０が移動止めの機能を果たすことになる。これにより、据付け場所の海底４からずれることをより堅固に防止することができる。
【００２５】
なお、本発明は、上記実施の形態のみに限定されるものではなく、たとえば、異形ブロック１４としては図示以外の形状のものでもよく、又、異形ブロック１４に代えて石等の固形物を用いるようにしてもよく、その他重量があり且つ収納時に隙間が形成されるようなものであれば、どのようなものでもよいこと、その他本発明の要旨を逸脱しない範囲内において種々変更を加え得ることは勿論である。
【００２６】
【発明の効果】
以上述べた如く、本発明の重量式離岸堤によれば、前側板と後側板にスリットを形成して製作した上面のみ開放の函体内に多数の重量物を互に隙間ができるように入れ、且つ上記函体の上面に、前端側が低くなるように傾斜させて斜板を取り付けて一体にしてなる構成とし、又、斜板を、左右方向に所要の長さ及び前後方向に所要の幅を有する構成とし、函体の左右方向の長さを上記斜板の左右方向の長さに対応させ、且つ函体の前後方向の厚みを厚くした構成としてあり、又、函体の底板の下面複数個所に、所要長さの杭を下向きに取り付けた構成としてあるので、次の如き優れた効果を奏し得る。
（１）斜板を有し且つ重量式としてあることから、打ち寄せる波のうち、表面波は斜板で消波することができると共に、海中進行波は函体の前側板に形成したスリットを通すことによる消波と函体内の重量物による消波ができる上に、海底に沈めて置くだけで安定して据え付けることができると共に、施工を簡単に行うことができ、更に、メンテナンスの頻度を減らすことができる。
（２）製作までを陸上で行うことができるので、天候に左右されることなく製作できて、製作工程を短縮でき、更に、海上輸送で据付け場所まで搬送した後は、クレーン等で吊り降すだけで簡単に且つ短時間に据え付けることができて、施工期日の短縮化が図れてコストダウンを図ることができる。
（３）函体内に重慮物を収納して設置することから、重量物を閉じ込めて移動や崩壊を防止できる。
（４）函体の底板の下面に杭を取り付けることにより、海底の地盤が粘土層の場合に、自重で海底に接するときに杭を地盤に差し込むことができ、移動をより堅固に防止することができる。
【図面の簡単な説明】
【図１】本発明の重量式離岸堤の実施の一形態を示す切断側面図である。
【図２】本発明の重量式離岸堤の実施の他の形態を示す切断側面図である。
【図３】従来の有脚式離岸堤の一例を示す概略側面図である。
【符号の説明】
１　斜板
４　海底
８　函体
９　前側板
１０　後側板
１３　底板
１４　異形ブロック（重量物）
１５　水平スリット（スリット）
１８ａ　表面波
１９　海中進行波
２０　杭
【図１】
2004143789.tif 000003
【図２】
2004143789.tif 000004
【図３】
2004143789.tif 000005